(57)【要約】      （修正有）【課題】既存の木造家屋の外壁や内壁を取り外さなくとも簡単に工事が行える耐震補強金具を提供する。【解決手段】木造家屋用耐震補強金具１は、Ｌ字形をした金属製品で、２つの直角台形の取付片を有し、各取付片のそれぞれの下底で接合されて９０°に折り曲げられている。補強金具１の内面には弾性合成樹脂製のコーティングが施されている。耐震補強金具１を既存木造家屋５の角の柱５３の上のモルタル５６上からかぶせ、ビス６を打ち込む。耐震補強金具１は梁５５に打ち込まれた複数個のビスによって固定される。さらに柱５３に固定するために縦に複数個のビス６を打ち込む。その結果、木造家屋５の角は耐震補強金具によって補強され、特に地震の横揺れに対する強度を増すことができる。【選択図】図４
0003230220.tif 000002
【実用新案登録請求の範囲】
【請求項１】
２枚の対象形状を有する横に細長い直角台形の取付片のそれぞれの下底を連結した金属部
材をその下底に沿って直角に屈折したＬ字形状の補強金具であって、該金属部材の裏面に
弾性合成樹脂製のコーテイングを設けると共に、該補強金具を取り付ける梁にビスを打ち
込むための複数個のビス用挿入孔および該補強金具を取り付ける垂直柱にビスを打ち込む
ための複数個のビス用挿入孔を設けたことを特徴とする木造家屋用耐震補強金具。
【請求項２】
上記ビス用挿入孔は各直角台形の取付片の垂直辺部に平行で該補強金具を取り付ける梁の
中心線に沿って設けると共に各直角台形の取付片の下底に平行で該補強金具を取り付ける
垂直柱の中心線に沿って設けたことを特徴とする請求項１に記載の木造家屋用耐震補強金
具。
【請求項３】
上記直角台形の取付片の上底は梁の幅と略同じ長さを有し、上記直角台形の取付片の下底
は上記上底の長さの略２〜４倍の長さを有することを特徴とする請求項１に記載の木造家
屋用耐震補強金具。
【考案の詳細な説明】
【技術分野】
【０００１】
本考案は、木造家屋用の耐震補強金具、特に木造家屋の外壁上に設置する地震等の横揺れ
に対する強度を高めるための耐震補強金具に関する。
【背景技術】
【０００２】
既存の木造家屋の耐震補強は、既存の柱や基礎の間を補強材や金具で連結して、補強工
事を行っている（例えば実用新案登録第３１５７２７６号公報参照）。
【先行技術文献】
【特許文献】
【０００３】
【特許文献１】実用新案登録第３１５７２７６号公報
【考案の開示】
【考案が解決しようとする課題】
【０００４】
既存の木造家屋の耐震補強工事は上記実用新案登録第３１５７２７６号公報に開示されて
いるように、木造家屋の既存の垂直材や水平材の間に水平添付材、垂直添付材や斜材を取
り付けて補強工事を行っている。このような補強工事は当然外壁、内壁を取り外して行な
わなければならず、大がかりな工事となる。
【０００５】
本考案は、既存の木造家屋の外壁や内壁を取り外さなくとも簡単に工事が行える耐震補強
金具を提供する事を目的としている。
【課題を解決するための手段】
【０００６】
本考案の木造家屋用耐震補強金具は、２枚の対象形状を有する横に細長い直角台形の取付
片のそれぞれの下底を連結した金属部材をその下底に沿って直角に屈折したＬ字形状の補
強金具であって、該金属部材の裏面に弾性合成樹脂製のコーテイングを設けると共に、該
補強金具を取り付ける梁（横木）にビスを打ち込むための複数個のビス用挿入孔および該
補強金具を取り付ける垂直柱にビスを打ち込むための複数個のビス用挿入孔を設けたこと
を特徴とする。
【０００７】
横方向のビス用挿入孔は各直角台形の取付片の垂直辺部に平行で該補強金具を取り付ける
梁の中心線に沿って設ける。横方向のビス用挿入孔の数は、補強金具の長さによって異な
るが通常５〜８個である。また、縦方向のビス用挿入孔は各直角台形の取付片の下底に平
行で該補強金具を取り付ける垂直柱の中心線に沿って設ける。縦方向のビス用挿入孔の数
は、補強金具の大きさによって異なるが通常３〜５個である。
【０００８】
上記直角台形の上底は梁（横木）の幅と略同じ長さを有し、上記直角台形の下底は上記
上底の長さの略２〜４倍の長さを有している。
【考案の効果】
【０００９】
（１）   本考案の木造家屋用耐震補強金具は既存の木道家屋の外壁の上からビスで簡単
に取り付けることができるので、極めて簡単な工事で工費を安く押さえることができる。
（２）   本考案の木造家屋用耐震補強金具は、横に細長い直角台形をしているので、こ
れを角の柱と梁（横木）に沿って取り付ければ、地震等による横揺れに対する強度を高め
ることができる。
（３）  本考案の木造家屋用耐震補強金具は既存家屋の４隅に同じ高さに取り付けること
により、家屋の外観の装飾的効果を高めることができる。
【考案を実施するための最良の形態】
【００１０】
本考案の最良の実施形態を次の実施例によって説明する。
【実施例１】
【００１１】
本考案の木造家屋用耐震補強金具１は図１に示すようにＬ形をした金属製品で、２つの直
角台形の取付片１１，１２を有し、各取付片１１，１２のそれぞれの下底ｃで接合されて
α＝９０°に折り曲げられている。補強金具１の内面には弾性合成樹脂製のコーテイング
２が施されている。取付片１１，１２には柱および梁に取り付けるためのビスの挿入孔３
が多数設けられている。
【００１２】
図２は本考案の木造家屋用耐震補強金具１を扁平に押し広げた図であって、２つの直角台
形をした取付片１１，１２はそれぞれの下底ｃで接合されている。
横方向のビスの挿入孔３は各取付片１１，１２の垂直辺部ａに平行で梁５５の中心線ｅに
沿って６個設けられている。縦方向のビスの挿入孔３は各取付片１１，１２の下底ｃに平
行で柱５３の中心線ｆに沿って４個設けられている。
【００１３】
図４は既存の木造家屋５の骨組みを示すもので、土台５１の上に基礎５２、基礎５２から
立ち上がった柱５３、間柱５４が設けられている。各柱５３，間柱５４は梁５５で結合さ
れている。柱５３の外側には外壁のモルタル５６が貼られている。
柱５３の内側には内装の壁５７が貼られている。外装５６と内装５７の間には保温材５８
が充填されている。
【００１４】
本考案の耐震補強金具１は図４のように、角の柱５３の上のモルタル５６上からかぶせ、
ビス挿入孔３にビス６を打ち込み補強金具１を固定する。図３はその状態を示すもので、
ビス挿入孔３にパッキング７を介してビス６を挿入して打ち込むと、ビス６の先端は外壁
５６を貫通し、柱５３に達し、補強金具１を柱５３，間柱５４、梁５５に強固に固定でき
る。なお、補強金具１の内面には弾性合成樹脂製のコーテイング２が施されているので、
補強金具１と外壁５６の間の隙間をなくし、両者を密着させることができる。
【図面の簡単な説明】
【００１５】
【図１】本考案の木造住宅用耐震補強金具の斜視図。
【図２】図１の展開図。
【図３】木本考案の木造住宅用耐震補強金具を木造家屋の柱にビスで打ち付けた状態を示す断面説明図。
【図４】本考案の木造住宅用耐震補強金具を木造家屋に取り付けた状態を示す説明図。
【符号の説明】
【００１６】
１    木造家屋用耐震補強金具
２    コーテイング層
３    ビス用挿入孔
５    木造家屋
６    ビス
【図１】
0003230220.tif 000003
【図２】
0003230220.tif 000004
【図３】
0003230220.tif 000005
【図４】
0003230220.tif 000006